(57)【要約】【課題】本考案は、広範な分野での個人認証を総合的に実現し得る安価な非接触型個人識別媒体を用いた個人認証システムを提供する。【解決手段】本考案の個人認証システムは、建物、設備機器器具、従業員を含む医療機関における個人認証システムであって、医療機関における従業員の管理対象行動時、すなわち、医療機関の医師、看護師、事務員を含む従業員の医師用端末１１の操作、前記医師、看護師、事務員を含む従業員のタイムレコーダ２５による就業時間、医療機関の各種部屋の扉の開閉操作、診断治療機器１７の操作管理、薬箱の操作、従業員の医療行動に基づく動線のうちの全て又はこれらのうちから選ばれる任意のものにおける個人認証を、タグ３に記録された個人識別情報をリーダライタ１０で読み取って、認証用データベース３２の従業員登録データとの照合により行うものである。【選択図】図１
0003102253.tif 000002
【実用新案登録請求の範囲】
【請求項１】
物的、人的資源を含む組織体における個人認証システムであって、組織体にあける従業員の全ての管理対象行動時又は任意の管理対象行動時における個人認証を、個々の従業員が保有する非接触型個人識別媒体に記録された個人識別情報を非接触型媒体処理手段で読み取って、認証用データベースの従業員登録データとの照合により行うことを特徴とする非接触型個人識別媒体を用いた個人認証システム。
【請求項２】
建物、設備機器器具、従業員を含む医療機関における個人認証システムであって、医療機関における従業員の全ての管理対象行動時又は任意の管理対象行動時における個人認証を、個々の従業員が保有する非接触型個人識別媒体に記録された個人識別情報を非接触型媒体処理手段で読み取って、認証用データベースの従業員登録データとの照合により行うことを特徴とする非接触型個人識別媒体を用いた個人認証システム。
【請求項３】
前記管理対象行動は、医療機関の医師、看護師、事務員を含む従業員の業務用端末の操作、前記医師、看護師、事務員を含む従業員のタイムレコーダによる就業時間、医療機関の各種部屋の扉の開閉操作、診断治療機器の操作管理、薬箱の操作、従業員の医療行動に基づく動線のうちの全て又はこれらのうちから選ばれることを特徴とする請求項２記載の非接触型個人識別媒体を用いた個人認証システム。
【請求項４】
前記従業員の個人認証には、従業員の医療機関内でのショッピング時の非接触型個人識別媒体を使用した個人認証が含まれることを特徴とする請求項２記載の非接触型個人識別媒体を用いた個人認証システム。
【請求項５】
前記個人認証には、患者の医療機関内でのショッピング時の非接触型個人識別媒体を使用した個人認証、及び患者の患者端末操作時の非接触型個人識別媒体を使用した個人認証が更に含まれることを特徴とする請求項２記載の非接触型個人識別媒体を用いた個人認証システム。
【請求項６】
建物、設備機器器具、従業員を含む医療機関における個人認証システムであって、従業員のタイムレコーダによる出勤から退勤に至る就業時間管理時に個々の従業員が保有する非接触型個人識別媒体に記録された個人識別情報を非接触型媒体処理手段で読み取って、認証用データベースの従業員登録データとの照合により個人認証を行うとともに、出勤時に非接触型媒体処理手段にて退勤時まで有効な個人別のセキュリティ情報を非接触型個人識別媒体に書き込み、セキュリティ管理を行うことを特徴とする非接触型個人識別媒体を用いた個人認証システム。
【請求項７】
建物、設備機器器具、従業員を含む医療機関における個人認証システムであって、医療機関における従業員の各種部屋の扉の開閉操作、診断治療機器の操作管理時、薬箱の操作時に、個々の従業員が保有する非接触型個人識別媒体に記録された個人識別情報を非接触型媒体処理手段で読み取って、認証用データベースの従業員登録データとの照合により個人認証を行うととともに、当該従業員の指紋を含む生体反応読み取りによる個人認証を付加することを特徴とする非接触型個人識別媒体を用いた個人認証システム。
【請求項８】
建物、設備機器器具、従業員を含む医療機関における個人認証システムであって、従業員の医療行動に基づく動線の管理情報を、従業員の履物に組み込んだ非接触型個人識別媒体の個人識別情報を、建物内の床下に内蔵したセンサ群により検出し、画像処理して取得することを特徴とする非接触型個人識別媒体を用いた個人認証システム。
【請求項９】
各々電子錠付き扉を備えた複数の収納室を有する物品収納庫における物品収納、取り出し時の各扉の開閉管理時の個人認証を、前記収納室に対する物品収納、取り出しを行う個人が保有する非接触型個人識別媒体に記録された個人識別情報を、非接触型媒体処理手段で読み取って、認証用データベースの登録データとの照合により行うことを特徴とする非接触型個人識別媒体を用いた個人認証システム。
【考案の詳細な説明】
【技術分野】
【０００１】
本考案は、非接触型個人識別媒体を用いた個人認証システムに関し、詳しくはＲＦＩＤ（Ｒａｄｉｏ  Ｆｒｅｑｕｅｎｃｙ  Ｉｄｅｎｔｉｆｉｃａｔｉｏｎ  Ｓｙｓｔｅｍ）タグを利用した非接触型個人識別媒体を用いた広範な個人認証システムに関するものである。
【背景技術】
【０００２】
従来から医療機関や企業等の従業員の個人管理、建物設備の入退室管理等、広範な分野において、ＲＦＩＤタグからなる非接触型個人識別媒体を用いた個人認証システムが多く採用されている。
【０００３】
例えば、特許文献１には、徽章式のＲＦＩＤタグをタイムカードの操作時に提示して個々人の入退勤管理を行うようにした個人認証システムが提案されている。
【０００４】
また、特許文献２には、看護師等を主体とした医療業務従事者の行動をＲＦＩＤタグからの信号を壁等に組み込んだ検出手段で検出して看護師の行動管理を行うようにしたナースコールシステムが提案されている。
【０００５】
しかし、このような特許文献１、２におけるＲＦＩＤタグによる個人認証システムの場合には、各々適用範囲が出退勤管理、行動管理のように狭い分野に限定されており、従業員の個人管理、建物設備の入出室管理や各種機器の操作管理時の個人認証、更にはショッピング時の個人認証等、広範な分野での個人認証を総合的に実現し得る安価な非接触型個人識別媒体を用いた個人認証システムは存在しないのが実情である。
【特許文献１】特開２００３−２１６９９４号公報
【特許文献２】特開２００３−０３２３７４号公報
【考案の開示】
【考案が解決しようとする課題】
【０００６】
解決しようとする問題点は、広範な分野での個人認証を総合的に実現し得る安価な非接触型個人識別媒体を用いた個人認証システムが存在しない点である。
【課題を解決するための手段】
【０００７】
本考案は、建物、設備機器器具、従業員を含む医療機関における個人認証システムであって、医療機関における従業員の全ての管理対象行動時又は任意の管理対象行動時における個人認証を、個々の従業員が保有する非接触型個人識別媒体に記録された個人識別情報を非接触型媒体処理手段で読み取って、認証用データベースの従業員登録データとの照合により行うことを最も主要な特徴とするものである。
【考案の効果】
【０００８】
本考案によれば、物的、人的資源を含む組織体、例えば、建物、設備機器器具、医療機関における従業員等の広範な行動分野での個人認証を総合的に実現し得る安価な非接触型個人識別媒体を用いた個人認証システムを提供することができる。
【０００９】
また、本考案によれば、医療機関の医師、看護師、事務員を含む従業員の業務用端末の操作、前記医師、看護師、事務員を含む従業員のタイムレコーダによる就業時間、医療機関の各種部屋の扉の開閉操作、診断治療機器の操作管理、薬箱の操作、従業員の医療行動に基づく動線のうちの全て又はこれらのうちから選ばれる管理対象行動における個人認証を安価な非接触型個人識別媒体を用いて実現できる個人認証システムを提供することができる。
【００１０】
更に、本考案によれば、上記効果に加えて、従業員や患者の医療機関内でのショッピング時の個人認証、更には患者の患者端末操作時の個人認証を安価な非接触型個人識別媒体を用いて実現できる個人認証システムを提供することができる。
【００１１】
更に、本考案によれば、建物、設備機器器具、医療機関における従業員の出退勤を含む個人認証を非接触型個人識別媒体及び従業員毎に異なる個人別のセキュリティ情報を用いて実現でき、より高度のセキュリティ管理を行うことができる非接触型個人識別媒体を用いた個人認証システムを提供することができる。
【００１２】
また、本考案によれば、例えば医療機関における従業員の各種部屋の扉の開閉操作、診断治療機器の操作管理時、薬箱の操作時において、非接触型個人識別媒体、指紋を含む生体反応の双方を用いたより高度のセキュリティ管理を行うことができる非接触型個人識別媒体を用いた個人認証システムを提供することができる。上記指紋を含む生体反応としては、指紋の他、例えば、掌形、網膜（眼球の奥の血管パターン）、虹彩、顔、署名、声紋、手の甲の静脈等を挙げることができる。
【００１３】
また、本考案によれば、従業員の医療行動に基づく動線管理を確実に行い、医療の質の向上を図ることができる非接触型個人識別媒体を用いた個人認証システムを提供することができる。
【００１４】
更に、本考案によれば、物品収納庫における物品収納、取り出し時の各扉の開閉管理時の個人認証を、確実に行うことができる非接触型個人識別媒体を用いた個人認証システムを提供することができる。
【考案を実施するための最良の形態】
【００１５】
広範な分野での個人認証を総合的に実現し得る安価な非接触型個人識別媒体を用いた個人認証システムを提供するという目的を、建物、設備機器器具、従業員を含む医療機関における個人認証システムであって、医療機関における従業員の全ての管理対象行動時、すなわち、医療機関の医師、看護師、事務員を含む従業員の業務用端末の操作、前記医師、看護師、事務員を含む従業員のタイムレコーダによる就業時間、医療機関の各種部屋の扉の開閉操作、診断治療機器の操作管理、薬箱の操作、従業員の医療行動に基づく動線のうちの全て又はこれらのうちから選ばれる任意のものにおける個人認証を、個々の従業員が保有するＲＦＩＤタグを用いた非接触型個人識別媒体に記録された個人識別情報を非接触型媒体処理手段で読み取って、認証用データベースの従業員登録データとの照合により行うことにより実現した。
【実施例】
【００１６】
以下に、本考案の実施例を詳細に説明する。
本実施例に係る個人認証システムは、建物、各種の設備機器器具、従業員を含む医療機関等の組織体における従業員の行動に関する個人認証を非接触型個人識別媒体であるＲＦＩＤタグを用いて行うようにしたものである。ＲＦＩＤタグは、電磁誘導による反射波を利用して個人識別情報を非接触で発信するように構成したものである。
【００１７】
本実施例に係る個人認証システムについて、図１に示すような管理センター１と、各種の従業員、各種の設備、機器、器具、売店、患者等を含む構内２とからなる医療機関に適用した場合を例にとって以下に説明する。
【００１８】
医療機関の構内２における医務室、看護師室、事務室等には、従業員である医師、看護師、事務員等が各々操作する医師用端末１１、看護師用端末１２、事務用端末１３等が配置され、これらには個人、個人が所有する非接触型個人識別媒体であるＲＦＩＤタグ（以下単に「タグ」という）３が発信する個人識別情報を読み取る非接触型媒体処理手段としてのリーダライタ１０が接続されている。
医師用端末１１、リーダライタ１０を図２に示す。
看護師用端末１２、事務用端末１３の場合も同様な構成となっている。この場合の各従業員の所有するタグ３は、タイムカードとして機能するＲＦＩＤ社員証を利用する。以下の各態様においても同様である。
【００１９】
また、医療機関の構内２における医務室、看護師室、事務室、更には治療室、手術室等の扉１４の周辺部には、図１、図３に示すように、例えば電子錠を用いた部屋扉制御部１５が設けられ、更に扉１４には個人認証用のリーダライタ１０、指紋を含む生体反応読取部１６が配置されている。
指紋を含む生体反応読取部１６における指紋を含む生体反応としては、指紋の他、例えば、掌形、網膜（眼球の奥の血管パターン）、虹彩、顔、署名、声紋、手の甲の静脈等を挙げることができる。これらの各生体反応情報によっても本実施例と同様の目的を達成でき、効果を発揮できる。なお、上記指紋を含む生体反応読取部１６における指紋を含む生体反応の例は、以下に記述する指紋を含む生体反応読取部１６についても同様である。
【００２０】
更に、医療機関の構内には、超音波診断装置、レーザー治療装置等の診断治療機器１７が設けられ、この診断治療機器１７にも個人認証用のリーダライタ１０、指紋を含む生体反応読取部１６が配置されている。
【００２１】
更に、医療機関の構内の治療室等には、図４に示すように、各種治療薬、劇薬等を収納した薬箱１８が配置され、薬箱１８には例えば電子錠を用いて扉１８ａの開閉を行う扉制御部１９が設けられ、更に個人認証用のリーダライタ１０、指紋を含む生体反応読取部１６が配置されている。
【００２２】
医療機関の構内の例えば治療室等においては、図５、図６に示すように、医師、看護師等の行動、すなわち、動線を検出する動線検出手段２０が構成されている。動線検出手段２０は、治療室等の床下内に所定の間隔でタグ３からの信号を検出する多数のセンサ２２を配置して構成した床下センサ群２３と、床下センサ群２３の検出信号をデータ処理して図７に示すような動線データを得るデータ処理部２４とを有している。
【００２３】
そして、図６に示すように、看護師等が履くスリッパ２１の爪先内部に個人識別情報を発信するタグ３を組み込んでおき、このスリッパ２１を履いた看護師等が前記治療室等の床上を移動した際の動線を動線検出手段２０により検出するようになっている。
なお、前記タグ３をスリッパ２１の爪先内部に組み込む構成の他、靴の中敷内部に組み込む構成とすることもできる。
【００２４】
本実施例に係る個人認証システムは、更に、図８に示すように、従業員の就業時間管理を行うタイムレコーダ２５を備え、個人認証用のリーダライタ１０を接続している。
【００２５】
更に、本実施例に係る個人認証システムは、医療機関の構内の売店において、従業員、患者等がショッピングを行う場合に使用する図９に示すような売店端末であるキャッシュレジスタ２６に、個人認証用のリーダライタ１０を接続するとともに、図１０に示すように、例えば病室内の患者ベッド２７に配置した患者端末（例えばタッチパネル）２８に個人認証用のリーダライタ１０を接続している。
【００２６】
次に、管理センター１について説明する。
管理センター１には、上述した構内の各要素とＬＡＮ回線５１、通信インターフェース５２で接続したセンタコンピュータ５０を配置している。
【００２７】
センタコンピュータ５０は、プログラムメモリ５３に記憶した動作プログラムに基づき全体の動作制御を行う主制御部３１を有している。
【００２８】
また、センタコンピュータ５０は、各従業員、患者等の個人認証のための登録認証情報を記憶した認証用データベース３２及び各従業員の指紋を含む生体反応情報を記憶した指紋を含む生体反応情報データベース３３、医師、看護師、事務員等の業務管理情報を記憶する業務管理データベース３４、部屋扉制御部１５からの情報を記憶する扉管理データベース３５、診断治療機器１７からの情報を記憶する機器管理データベース３６、動線検出手段２０からの情報を記憶する動線管理データベース３７、扉制御部１９からの情報を記憶する薬箱管理データベース３８、タイムレコーダ２５からの情報を記憶する時間管理データベース３９、キャッシュレジスタ２６からの情報を記憶するショッピング管理データベース４０、患者端末２８からの情報を記憶する患者データベース４１を具備している。  なお、上記各従業員の指紋を含む生体反応としては、指紋の他、例えば、掌形、網膜（眼球の奥の血管パターン）、虹彩、顔、署名、声紋、手の甲の静脈等でも良いことは前述した通りである。
【００２９】
前記主制御部３１により、これら各データベースに対するデータ（情報）記録、データ（情報）読み出しを各々行うようになっている。
【００３０】
更に、前記主制御部３１に、個々人特有のセキュリティ番号を生成するセキュリティ番号生成部５４を接続し、各種のデータ演算処理を行う演算処理部４９を接続するとともに、入出力インターフェース４２を介してキーボード４３、マウス４４、プリンタ４５、スキャナ４６、表示部４７、補助記憶装置４８を接続している。
【００３１】
次に、上述した本実施例に係る個人認証システムの動作について、場合を分けて説明する。
【００３２】
（医師、看護師、事務員等の出退勤を含む就業時間管理）
本実施例の個人認証システムにおいて、従業員である医師、看護師、事務員等が各々医療機関に出勤した場合に、図８に示す前記タイムレコーダ２５のリーダライタ１０に自己が所有するＲＦＩＤ社員証であるタグ３を提示すると、リーダライタ１０は当該タグ３が発信する個人識別情報を読み取る。
この個人識別情報は、前記主制御部３１の制御の基に予め認証用データベース３２に登録した従業員登録データと照合され、当該個人の個人認証の可否が判断される。
個人認証の判断結果が可（出社確認済み）であれば、主制御部３１は、セキュリティ番号生成部５４が生成する当該個人固有のセキュリティ番号（ＩＤ番号）を前記リーダライタ１０に送信し、当該タグ３に書き込まれる（自動付加される）。
個人認証の判断結果が否であれば、構内２内の設備、機器等の操作が制限される。
【００３３】
前記セキュリティ番号（ＩＤ番号）は、当該個人の出勤時から退勤時までのみ有効であり、且つ、毎日更新される。これにより、前記タグ３の不正使用を効果的に防止することができる。
【００３４】
また、当該個人の出勤時から退勤時までの以下に述べるような全ての作業、行動は、セキュリティ番号が付加されたタグ３に基づいて管理され、時系列で各々対応するデータベースに記憶保持される。この結果、極めてセキュリティ性の高い個人認証システムを構築することができる。
【００３５】
当該個人の退勤時においても前記タイムレコーダ２５のリーダライタ１０において同様に個人認証が実行され退社確認が行われる。
【００３６】
更に、個人認証の判断結果が可（出社確認済み）とされた従業員の出勤時間及び退勤時間のデータは、時間管理データベース３９に送られて、記憶保持される。これにより、前記演算処理部４９によって、当該出勤時間、退勤時間のデータに基づいた基本給、時間外手当の算出等、当該個人の給料計算が実行される。
【００３７】
（医師、看護師、事務員等の業務管理）
本実施例に係る個人認証システムにおいて、従業員である医師、看護師、事務員等が各々医師用端末１１、看護師用端末１２、事務用端末１３を操作し各々の医療業務の遂行を行う場合においても、最初にこれらの各端末に備えたリーダライタ１０を使用した前記タグ３による個人認証が行われる。
そして、医師、看護師、事務員等の業務の内容は個々の個人識別情報に関連付けられ前記業務管理データベース３４に記録される。この場合、医師用端末１１、看護師用端末１２、事務用端末１３には、動作プログラムに基づいて主制御部３１から統一的に管理するための入力テンプレートが提供される。
この結果、医師、看護師、事務員が行う医療業務に関連する医療計画、治療看護計画等の予定、患者のカルテ、実際に行った手術、治療、看護等の記録、外来患者の受付記録等、全ての医療業務に関連する情報が前記業務管理データベース３４に時系列に、且つ、個人識別情報に関連付けられて記録されることになる。
【００３８】
（設備機器器具の操作管理）
本実施例の個人認証システムにおいて、従業員である医師、看護師等が、特定の部屋の扉１４を開け、診断治療機器１７を操作したり、薬箱１８から薬を取り出したりする医療行動を行う場合について説明する。
【００３９】
例えば看護師等が、特定の部屋の扉１４を開け、室内に入ろうとする場合には、まず、特定の部屋の扉１４の前に立ち、自己が所有するタグ３を図３に示す扉１４の周辺に設けたリーダライタ１０に近接させるとともに、自己の手の指を指紋を含む生体反応読取部１６に接触させる。
これにより、主制御部３１の制御の基に当該看護師のタグ３に記録された個人識別情報と、前記認証用データベース３２に登録された従業員登録データとの照合による個人認証が行われるとともに、当該看護師の指紋を含む生体反応と前記指紋を含む生体反応情報データベース３３に記録された指紋を含む生体反応情報との照合による個人認証も行われ、二重の個人認証により、特定の部屋の扉１４の開閉が実行される。
この結果、特定の部屋の扉１４の開閉に関して、極めて精度の高い個人認証システムとすることができる。このような場合の認証結果も、部屋扉制御部１５から前記扉管理データベース３５に送られ、時系列に記憶保持される。
【００４０】
この場合に、個人認証実行時に、前記主制御部３１によりセキュリティ番号の自動付加を行うようにすれば、一層セキュリティ性を高めた扉１４の開閉管理を行うことができる。
【００４１】
また、例えば看護師等が、上述した個人認証を経て、特定の部屋の扉１４内に入室し、部屋内にある薬箱１８から特定の薬、例えば劇薬等を取り出そうとする場合においても、上述した場合と同様、薬箱１８の扉１８ａの前に立ち、自己が所有するタグ３を図４に示す扉１８ａの周辺に設けたリーダライタ１０に近接させるとともに、自己の手の指を指紋を含む生体反応読取部１６に接触させる。
これにより、主制御部３１の制御の基に当該看護師のタグ３に記録された個人識別情報と、前記認証用データベース３２に登録され従業員登録データとの照合による個人認証が行われるとともに、当該看護師の指紋を含む生体反応と前記指紋を含む生体反応情報データベース３３に記録された指紋を含む生体反応情報との照合による個人認証も行われ、二重の個人認証により、薬箱１８の扉１８ａの開閉に関して、極めて精度の高い個人認証システムとすることができる。このような場合の認証結果も、前記扉制御部１９から前記扉管理データベース３５に送られ、時系列に記憶保持される。
【００４２】
同様にして、医師等が前記診断治療機器１７を操作する場合においても、自己が所有するタグ３と、指紋を含む生体反応による二重の個人認証が行われ極めて精度の高い個人認証システムとすることができるとともに、医師等による診断治療機器１７の操作情報が機器管理データベース３６に記憶保持される。
なお、各部で上述した指紋を含む生体反応情報としては、指紋の他、例えば、掌形、網膜（眼球の奥の血管パターン）、虹彩、顔、署名、声紋、手の甲の静脈等でも良いことは既述した通りである。
【００４３】
（医師、看護師等従業員の動線管理）
本実施例に係る個人認証システムにおいて、従業員である医師、看護師等の医療業務遂行時の行動管理、すなわち動線管理について図５乃至図７を参照して説明する。
【００４４】
例えば、医療機関の構内の治療室等において、看護師等が医療活動を行う場合、自己固有のタグ３を組み込んだスリッパ２１を履いた看護師等が治療室等の床上を動き回ると、動線検出手段２０の床下センサ群２３の多数のセンサ２２によって、前記タグ３の個人識別情報が読み取られ、データ処理部２４により検出信号が処理されて図７に示すような動線データが得られる。
【００４５】
この動線データは、前記動線管理データベース３７に送られタグ３の個人識別情報と関連付けられて継時的に記憶保持される。靴の中敷内部に前記タグ３を組み込んでその靴を履いて行動した場合も同様である。
このようにして、看護師、医師等の医療行動による動線を記憶保持し視覚的に把握できることになるため、これを分析することで、医療ミスの原因の把握、医療ミスの発生防止、業務の標準化、過労の防止等を医療の質の向上を図ることができる。
【００４６】
（構内２におけるショッピング管理）
本実施例に係る個人認証システムにおいて、従業員である医師、看護師、事務員、更には患者が売店等において日用品、書籍等を購入した場合、購入者は自己が所有するタグ３をキャッシュレジスタ２６に備えたリーダライタ１０に提示する。
これにより、主制御部３１の制御の基に当該タグ３に記録された個人識別情報と、前記認証用データベース３２に登録され従業員登録データとの照合による個人認証が行われ、個人認証が可であれば、購入データが個人識別情報と関連付けられて前記ショッピング管理データベース４０に時系列で記憶保持される。この場合、前記タグ３として、プリペイドタイプのカード方式、事後清算型のカード方式とすることで、構内キャッシュレスタイプのシステムを構築することができる。
【００４７】
（患者の行動管理）
本実施例に係る個人認証システムにおいて、図１０に示すように、患者が病室内の患者ベッド２７に配置した患者端末（例えばタッチパネル）２８接続した個人認証用のリーダライタ１０に自己が所有しているタグ３を提示し、患者端末２８から例えばナースコール等を行った場合、主制御部３１の制御の基に当該タグ３に記録された個人識別情報と、前記認証用データベース３２に登録された従業員登録データとの照合による個人認証が行われ、ナースコールを行った時刻等のデータが患者データベース４１に送られ、時系列的に記憶保持される。
これにより、患者の行動、症状変化等の情報を正確に管理することが可能となる。
【００４８】
なお、本実施例に係る個人認証システムは、上述した医師、看護師、事務員等の出退勤を含む就業時間管理、医師、看護師、事務員等の業務管理等の各種対象項目の全てについての個人認証システムとする他、これらのうちの一部又は任意の組み合わせについての個人認証システムとして構築することも可能である。
【００４９】
以上説明した本実施例において、前記タグ３としては、社員証として機能するカード構成のものや履物型に構成したものの他、キーホルダやブローチ型、腕時計型に構成したもの等その形状は種々の変形が可能である。
【００５０】
また、タグ３としてＲＦＩＤ型のものを採用したことによって、軽量安価に構成でき、電池レスで正確な電磁誘導による安定動作を期待でき、必要時にのみ使用するスリッパ等の履物型とすることもでき多目的に利用可能となる。
【００５１】
また、経年変化が少なく、耐久性に優れていること、医療器具に悪影響を与えない微弱出力のものを採用することで安全性が高いこと、受信スピードとして人間の移動速度に耐えるものを構成できこと、利用方法、取り扱いが簡便であること等、実用上極めて有効な利用が可能となる。
【００５２】
また、前記リーダライタ１０としては、コンピュータ接続可能なＬＡＮタイプ、ＵＳＢタイプ、更には、壁掛けタイプ、床置きタイプ等種々の変形が可能である。
【００５３】
次に、図１１、図１２を参照して、本考案の他の実施例について説明する。
この実施例に係る個人認証システムは、図１１に示すように、各々電子錠付き扉６１を例えば９個備えた９個の収納室を有する各物品収納庫（例えば宅配ボックス）６０における物品収納、取り出し時の各扉６１の開閉管理時の個人認証を、前記収納室に対する物品収納、取り出しを行う個人が保有するタグ３に記録された個人識別情報を、物品収納庫６０に備えた前記非接触型媒体処理手段であるリーダライタ１０で読み取って、管理センタ７０の認証用データベース７２の従業員登録データとの照合により行うようにしたものである。
【００５４】
すなわち、前記物品収納庫６０は、電子錠付き扉６１の周辺部に、リーダライタ１０、電子錠付き扉６１を特定するためのテンキー６２、音声メッセージ発音用のスピーカ６３、音声録音のためのマイク６４、各電子錠付き扉６１の電子錠を開閉する鍵コントローラ６５、人センサ６７、これらを制御するボックス制御部６６を備えている。
また、ボックス制御部６６は、通信回線６８、通信インターフェース７５を介して管理センタ７０のセンタ制御部７１に接続されている。センタ制御部７１には、認証用データベース７２、前記スピーカ６３により発音するためのメッセージを記録したメッセージ記録部７３、前記マイク６４からの伝言等を録音する録音部７４、履歴記録部７６が接続されている。
【００５５】
図１１、図１２に示す他の実施例に係る個人認証システムにおいて、物品の配達者が物品収納庫６０の前に立つと、人センサ６７が動作し、これにより、スピーカ６３から例えば「不在ですので番号１の扉内に入れてください。伝言がありましたら１５秒お話し下さい。」等の音声がスピーカ６３から発音される。物品の配達者は、番号１の扉内に物品を入れ、伝言をマイク６４から入力して立ち去る。
これにより、番号１の扉は施錠され、マイク６４に入力された伝言は前記録音部７４に録音される。
【００５６】
その後、番号１の扉の登録者が帰宅し、自己のタグ３を前記リーダライタ１０の近傍に提示すると、タグ３に記録された個人識別情報を、前記物品収納庫６０に備えたリーダライタ１０で読み取って、管理センタ７０の認証用データベース７２の従業員登録データとの照合が行われ、照合結果が可であれば番号１の扉が開放され、且つ、スピーカ６３から伝言メッセージが発音される。これら一連の情報は全て前記履歴記録部７６に記録され管理される。
【００５７】
このようにして、他の実施例に係る個人認証システムによれば、例えば宅配ボックスのような物品収納庫６０における個人認証を正確に実行でき、信頼性の高い個人認証システムを提供することができる。
【産業上の利用可能性】
【００５８】
本考案は、上述したように主として医療機関における各種行動等に対する個人認証に適用する場合の他、企業、工場、官庁、各種団体の従業員、従業者等の各種行動等に対する個人認証システムとしても応用可能である。
【図面の簡単な説明】
【００５９】
【図１】本考案の実施例に係る個人認証システムのブロック図である。
【図２】本考案の実施例に係る医師用端末を示す斜視図である。
【図３】本考案の実施例に係る部屋扉部分を示す斜視図である。
【図４】本考案の実施例に係る薬箱を示す斜視図である。
【図５】本考案の実施例に係る治療室等の床部分の斜視図である。
【図６】本考案の実施例に係る治療室等の床上のスリッパ及び床部分の断面を示す図である。
【図７】本考案の実施例における動線データを示す説明図である。
【図８】本考案の実施例に係るタイムレコーダを示す斜視図である。
【図９】本考案の実施例に係るキャッシュレジスタを示す斜視図である。
【図１０】本考案の実施例に係る患者のベッドの斜視図である。
【図１１】本考案の他の実施例に係る個人認証システムにおける物品収納庫の斜視図である。
【図１２】本考案の他の実施例に係る個人認証システムのブロック図である。
【符号の説明】
【００６０】
１    管理センター
２    構内
３    タグ
１０    リーダライタ
１１    医師用端末
１２    看護師用端末
１３    事務用端末
１４    扉
１５    部屋扉制御部
１６    指紋を含む生体反応読取部
１７    診断治療機器
１８    薬箱
１８ａ  扉
１９    扉制御部
２０    動線検出手段
２１    スリッパ
２２    センサ
２３    床下センサ群
２４    データ処理部
２５    タイムレコーダ
２６    キャッシュレジスタ
２７    患者ベッド
２８    患者端末
３１    主制御部
３２    認証用データベース
３３    指紋を含む生体反応情報データベース
３４    業務管理データベース
３５    扉管理データベース
３６    機器管理データベース
３７    動線管理データベース
３８    薬箱管理データベース
３９    時間管理データベース
４０    ショッピング管理データベース
４１    患者データベース
４２    入出力インターフェース
４３    キーボード
４４    マウス
４５    プリンタ
４６    スキャナ
４７    表示部
４８    補助記憶装置
４９    演算処理部
５０    センタコンピュータ
５１    ＬＡＮ回線
５２    通信インターフェース
５３    プログラムメモリ
５４    セキュリティ番号生成部
６０    物品収納庫
６１    扉
６２    テンキー
６３    スピーカ
６４    マイク
６５    鍵コントローラ
６６    ボックス制御部
６７    人センサ
６８    通信回線
７０    管理センタ
７１    センタ制御部
７２    認証用データベース
７３    メッセージ記録部
７４    録音部
７５    通信インターフェース
７６    履歴記録部
【図１】
0003102253.tif 000003
【図２】
0003102253.tif 000004
【図３】
0003102253.tif 000005
【図４】
0003102253.tif 000006
【図５】
0003102253.tif 000007
【図６】
0003102253.tif 000008
【図７】
0003102253.tif 000009
【図８】
0003102253.tif 000010
【図９】
0003102253.tif 000011
【図１０】
0003102253.tif 000012
【図１１】
0003102253.tif 000013
【図１２】
0003102253.tif 000014